(57)【要約】【課題】上下の棚間または前面に生じた余白部分を小形収納物の収容空間として利用することで、既存の本に干渉したり、見栄え低下を伴うことなく収納空間の利用率を向上させる。【解決手段】底板２と両側板４とを有し、棚家具の対向する内面間に挿入して着脱自在に設置される本立て形状の棚部材１を有し、棚部材１の両側板４、４の外面には、該側板の後端側に開口する水平溝部６ａと水平溝部６ａの前部側に立ち上がる垂直溝部６ｂとを連通して有する支持溝６を形成し、左右の支持溝６、６内に、対応する左右のだぼ７、７を挿通させるとともに、垂直溝部６ｂの上端内にだぼ７が嵌挿された状態で、棚家具の対向する内面間に棚部材１を懸下状態で設置させる。【選択図】      図３
2007325815.tif 000002
【特許請求の範囲】
【請求項１】
側板若しくは中間仕切板の対向する内面に、前後２列で縦方向に所定のピッチで配列されただぼ穴にだぼを介して設置される複数の可動棚を設けた棚家具において、
底板と両側板とを有し、前記棚家具の対向する内面間に挿入して着脱自在に設置される本立て形状の棚部材を具備し、
前記棚部材の両側板の外面には、該側板の後端側に開口する水平溝部と水平溝部の前部側に立ち上がる垂直溝部とを連通して有する支持溝が形成され、
前記左右の支持溝内に、対応する前記左右のだぼが挿通されるとともに、垂直溝部の上端内にだぼが位置した状態で、前記棚家具の対向する内面間に前記棚部材が設置されることを特徴とする棚家具。
【請求項２】
前記水平溝部に連通状に立上げ形成される垂直溝部が、前部側と後部側の２箇所に立ち上げ形成されていることを特徴とする請求項１に記載の棚家具。
【請求項３】
前記水平溝部に連通する立上げ形成される垂直溝部が、前部側と後部側及び中間位置の３箇所を含む複数箇所に立ち上げ形成されていることを特徴とする請求項１記載の棚家具。
【請求項４】
前記左右の支持溝は、前記だぼの上下ピッチに対応した間隔で上下二段に形成され、
前記上下の各支持溝内に、対応する上下の各だぼが挿通されるとともに、上下の垂直溝部の各上端内に対応する上下の各だぼが位置した状態で、前記棚家具の対向する内面間に前記棚部材が設置されることを特徴とする請求項１乃至３のいずれか１項に記載の棚家具。
【請求項５】
前記棚部材の奥行幅が、前記棚家具の内部の奥行幅よりも短い幅とされていることを特徴とする請求項１乃至４のいずれか１項に記載の棚家具。
【請求項６】
請求項１乃至５のいずれか１項記載の棚家具に用いる棚部材において、
底板と両側板とを有し、該両側板の外面には、該側板の後端側に開口する水平溝部と水平溝部の前部側に略Ｌ字形に立ち上がる垂直溝部とが連通状に形成される支持溝が形成されていることを特徴とする棚部材。
【請求項７】
請求項１乃至４のいずれか１項記載の棚家具に用いる棚部材において、
底板と両側板とを有し、該両側板の外面には、該側板の後端側に開口する水平溝部と水平溝部の前後の複数箇所に立ち上げ形成される垂直溝部とが連通状に形成される支持溝が形成されていることを特徴とする棚部材。
【請求項８】
前記左右の支持溝は、上下二段を含む上下複数段に平行に形成されていることを特徴とする請求項６又は７に記載の棚部材。
【発明の詳細な説明】
【技術分野】
【０００１】
本発明は、本棚、飾棚、食器棚並びに整理棚などに用いることができる棚家具、及びこの棚家具に後付けされる棚部材に関するものである。
【背景技術】
【０００２】
多様且つ多くの本類を収納させるための本棚に、スライド棚があり、これは、横移動可能な本立を本箱本体の前面に配置した構造である。本箱本体内には比較的大形の本類を収納し、本立には文庫本などの小形本類を収納しておき、本立を移動させることにより、その裏側の目的とする本を取り出しできるようにしている。
【０００３】
また、上記本棚などの棚家具では、一般に、両側板の内壁面に上下複数段の可動棚を設置し、収納物の大きさなどに応じて縦方向に複数段毎に棚間隔を調整可能としている。
【発明の開示】
【発明が解決しようとする課題】
【０００４】
以上の本箱などの棚家具において、各段の奥行及び高さ寸法に対して、収納する本の縦横寸法が小さい場合には、各収納段の上部または前面に大きな空間が生じ、収納空間としての利用効率が悪かった。また、下部の棚空間を高くして、比較的大形の豪華本などを収納させることが行われているが、その棚空間の側方などに大きな空きスペースが生じることが多い。
【０００５】
また最近では、ビデオテープ、ＣＤ、ＤＶＤなど、従来の本の縦横比とは異なったメディア媒体のパッケージを本類に混在させて一括収納しておく場合もあるため、これらのパッケージの前面側への突出による見栄えの低下なども目立つ場合もある。
【０００６】
なお、奥行寸法などの点において、単行本や、文庫本などの小形本を効率よく多数収納しようとする場合には、背表紙を奥行方向に一列に並べて２段収納することができるが、いざ奥側の本を取出そうとする場合には、手前側の本を一冊ずつ取出して、奥側の読みたい本を探さなければならず、面倒な検索作業を必要としていた。
【０００７】
さらには収納しようとする本類の冊数が多くなると、該種棚家具に入りきれない本を前記空き空間を利用して無理矢理横積みする場合もあり、このような収納形態では、見栄えが低下することは勿論、既に収納されている本に干渉して出し入れが極めて不便となるため、整理整頓上からも好ましいことではなかった。
【０００８】
本発明は以上の課題を解決するものであり、その目的とするところは、上下の棚間または前面に生じた余白部分を小形収納物の収容空間として利用することで、既存の本に干渉したり、見栄え低下を伴うことなく収納空間の利用率を向上できるようにした棚家具及びこの棚家具に用いて好適な棚部材を提供するものである。
【課題を解決するための手段】
【０００９】
前記目的を達成するため、本発明は、図の実施の形態にも示されるように、対向する両側板（中間仕切板を含む）の対向する内面に、前後２列で縦方向に所定のピッチで配列されただぼ穴１６にだぼ７を介して設置される複数の可動棚１７を設けた棚家具（本棚１０）において、前記左右のだぼ７、７を利用し、下記本立て形状の棚部材１を着脱自在に懸下状態で設置したことを特徴とする。
【００１０】
棚部材１は、底板２と両側板４とを有し、前記棚家具の対向する内面間に挿入して着脱自在に設置される本立て形状の棚部材１であり、前記棚部材１の両側板４、４の外面には、該側板の後端側に開口する水平溝部６ａと水平溝部６ａの前部側に立ち上がる垂直溝部６ｂとを連通して有する支持溝６が形成され、前記左右の支持溝６、６内に、対応する前記左右のだぼ７、７が挿通されるとともに、垂直溝部６ｂの上端内にだぼ７が嵌挿された状態で、前記棚家具の対向する内面間に前記棚部材１が懸下状態で設置されることを特徴としている。
【００１１】
図５に示されるように、前記水平溝部６ａに連通状に立上げ形成される垂直溝部６ｂ，６ｃは、前部側と後部側の２箇所に立ち上げ形成してもよい。
【００１２】
図６に示されるように、前記水平溝部６ａに連通する立上げ形成される垂直溝部６ｂ，６ｃ，６ｄは、前部側と後部側及び中間位置の３箇所を含む複数箇所に立ち上げ形成してもよい。
【００１３】
前記左右の支持溝６、６を、前記だぼ７、７の上下ピッチに対応した間隔で上下二段に形成し、前記上下の各支持溝６、６内に、対応する上下の各だぼ７、７が挿通されるとともに、上下の垂直溝部６ｂ，６ｂの各上端内に対応する上下の各だぼ７、７が嵌挿された状態で、前記棚家具の対向する内面間に前記棚部材１を設置させることができる。
【００１４】
前記棚部材１の奥行幅は、前記棚家具の奥行幅の半分以下の幅とされていることが棚部材１の配設状態における使用利便性の点で望ましい。
【発明の効果】
【００１５】
従って、本発明にあっては、棚部材１の装着時には、左右の水平溝部６ａを、その後端開口から対応する左右のだぼ７に差込み、次いで垂直溝部６ｂを下方に落し込むことにより、棚部材１を棚家具の任意の上下又は前後位置に、安全確実に支持させることができる。また取外し時には、前記とは逆の手順で棚部材１を持上げてだぼ７を水平溝部６ａに位置させ、その状態で棚部材１を引抜けば、棚家具の前面より簡単に引抜くことができる。
【００１６】
上記のようにして、棚部材を、棚家具の、上下任意の位置における、前部側のだぼに支持させ、或いは、後部側のだぼに支持させることができ、その装着位置を任意に上下前後に選択させることができる。このようにして装着された棚部材１の背部側部分に、例えば、背の高い本類を設置させることができ、棚部材の収納容量に応じて、小形の本、ＣＤ、ＤＶＤなどの収納物を整理して収納することができる。このようにして、本発明では、棚家具の使用の多様性を向上させることができる。
【００１７】
また、棚部材１を棚家具の前部に装着した場合であって、その奥部側に収納されている本などを取出す際には、棚部材の支持溝をこれに嵌合されているだぼより抜取り、収納物ごと一括して取外すことにより、棚家具内を露出することができるため、無用な検索が不要となり、本などの整理も容易になる。
【００１８】
棚部材１を前面側に取付けた場合においては、地震時などにおいて、背部側に設置した本など飛出しを防止するための固定具としても機能できる。
【００１９】
棚部材左右の支持溝を、上下二段に形成することにより、棚部材は上下２箇所のだぼによって支持されることになるため、装着状態での棚部材の前後の揺れが防止され、取付安定性が高いものとなる。
【００２０】
支持溝に形成される垂直溝部を、前後複数箇所に形成させることにより、垂直溝部の前後選択により、棚部材の前後方向の取付位置の調整が可能となる。
【００２１】
棚部材の奥行き幅を、棚家具の奥行き幅の半分以下などの短い幅とすることにより、装着状態における棚部材の背部空間を、背の高い本の収納空間などとして一層有効に使用することができる。また、棚部材を、前後二列に装着させることもできる。
【発明を実施するための最良の形態】
【００２２】
以下、本発明の最良の形態につき、添付図面を参照して説明する。
図１〜図３は本発明の第１実施形態を示し、図１（ａ），（ｂ）は棚部材の斜視図、図２（ａ）〜（ｄ）は同棚部材を本棚に取付けるまでの過程を示す説明用斜視図、図３は同取付状態の断面説明図である。
【００２３】
図１において、木工製品などからなる棚部材１は、所定厚み及び間口寸法に形成された底板２と、底板２の両側部に木製だぼ３を介して一体に組付けられたブックエンド形であって所定厚みの側板４と、底板２と側板４の背面に組付けられた薄ベニアなどからなる背面板５とからなっている。そしてこの棚部材１の組立状態における全体の外側間口寸法Ｗは、後述する棚家具としての本棚１０の内側間口寸法にほぼ等しい寸法に設定され、高さ寸法は、本棚１０の内側に配列されるだぼ７の縦列方向数ピッチ分、奥行寸法は、本棚１０の１／２以下に設定され、全体として文庫本などの小形本や、ＤＶＤ，ＣＤパッケージなどの配列に適した縦横高さ寸法の本立て形状となっている。
【００２４】
各側板４の外側部にはＮＣ木工マシンなどにより上下二段の支持溝６が平行に刻設されている。上下の支持溝６はこれが取付けられる本棚１０側のだぼ７の縦方向配列ピッチと等しい間隔で形成され、かつ、だぼ７の外径とほぼ等しい溝幅に形成されたもので、（ｂ）の一部に拡大して示すように、側板４の後縁に開口する水平溝部６ａと、水平溝部６ａの前部側に連通して垂直に立上がる垂直溝部６ｂとからなっている。支持溝６は、側板４の外面に凹溝状に形成してもよく、側板４の幅方向に貫通する貫通溝状に形成してもよい。
【００２５】
図２は、前記棚部材１が取付けられるオープン形ユニット式本棚１０を示すもので、（ａ）はその基本形状を示す。この本棚１０は、下部固定棚兼用の底板１１、天板１２、両側板１３、背面板１４並びに中間固定棚１５を組付けた前面開口する箱枠状の基本形状となっている。なお、本棚１０の間口寸法は、ほぼ一定の規格とされ、４５，６０，７５，９０，１０５，１２０などの種類があり、間口寸法が大きい場合には中間に縦仕切板を配置したものもある。また奥行寸法はほぼ固定的に一定の規格であり、全高寸法は、複数の高さのものが規格としてあり、ユーザの使い勝手、部屋のスペースなどに応じて最適な寸法のものが選択できるようになっている。
【００２６】
前記各側板１３（又は側板と仕切板）の対向する内側には、前後一対であって、縦方向に等ピッチでだぼ穴１６が形成されている。
【００２７】
そして、以上のだぼ穴１６の適当高さ位置を選んで前述のだぼ７を差込み、その上部に（ｂ）に示すように可動棚１７を設置することで、本棚１０として完成する。各可動棚１７の縦配列は、内部に収納される本類の版サイズに応じて適宜設定される。なお、本発明で言う本類とは、本そのものだけでなく、ノート、及びこれらをファイリングするファイル、週刊誌などの雑誌や冊子、ＤＶＤ，ＣＤパッケージなどをも含むものである。これらのうち最も縦横寸法の大きいものをＡ４版のファイルとし、中間をＢ５版の週刊誌、最小のものをＡ５版、Ａ６版の単行本や、文庫本などと仮定すると、これらの高さ寸法に応じた高さ間隔で可動棚１７を配置することにより、余裕を持った収納を行うことができる。
【００２８】
（ｃ）は以上の配列に応じて、各段に本類を収納した状態の一例を示す。この例では最上段には、Ｂ５版の週刊誌２０を配列し、中間固定棚１５上にはＡ４版のノート２１、底板１１にはＡ４版のノート類２１を収納した状態を示し、上部の可動棚１７間及び中間固定棚と下部可動棚１７間を空きスペースとしている。
【００２９】
このようにして、本棚１０内が本類で満たされた後は、図２（ｄ）及び図３に示すごとく前述の棚部材１が本棚１０の各部に装着される。図において、上部側の空きスペースには奧方向に２列、上部側のＡ４ノートの前面及び下部側Ａ４ノートの前面及び上面奥部にそれぞれ合計５つの棚部材１が取付けられ、これらによって空き空間を有効に活用し、ＤＶＤ，ＣＤパッケージ、文庫本などの小形本を効率よく収納することができることになるのである。またＡ４ノート２１の前面側に配置される棚部材１は、収納の機能のほかに、ノート２１の飛出し防止用としての機能も兼用することになる。なお、この状態からノート２１を出納す場合には、棚部材１を前記の要領で本棚１０から取外せば、収納されているノート２１に干渉することなく、簡単に取外すことができる。
【００３０】
次に図４は本発明の第２実施形態を示す。なお、棚部材、及び本棚の基本構造については前記と同様であるので、同一箇所には同一符号を用いて説明する。図４（ａ）において、棚部材１の側板４の外側には一箇所のみＬ字形の支持溝６が設けられている。この実施形態の場合には、棚部材１をだぼ７に支持した場合には、棚部材１を前傾側に回動させるモーメントが働くため、図４（ｂ）に示すように奧側に位置させ、棚部材１の背面を本棚１０側の背面板１４に支持させれば良く、図例では中間固定板１５の上部に上下に配列している。なお、図においては上部可動棚１７の上面にＡ４ファイル２２を収納した場合を示している。
【００３１】
次に図５は本発明の第３実施形態を示す。図５（ａ）において、支持溝６は第１実施形態と同じく、上下二段に形成されているほか、その水平溝部６ａには前記と同様の垂直溝部６ｂが一体に連通しているとともに、水平溝部６ａは側板４の前部側まで延長し、この先端に第２の垂直溝部６ｃを立ち上げている。
【００３２】
従って、本実施形態では、前部側のだぼ７に第２の垂直溝部６ｃを支持させることで、棚部材１は本棚の前面から突出することなく、配置することができる。
【００３３】
この棚部材１の配置例としては、図５（ｂ）の上部から順に示すように、奥行方向に並列に配置したり、階段状に並べたり、本棚１０の前面より飛出して前後に配列したり、前部側に飛出すことなく上下に縦列させることができる。なお、図例において、上部可動棚１７にはＡ６単行本２３が配列され、中間固定棚１５上にはＡ５単行本２４が配列され、その前面を棚部材１の背面で押えた状態を示している。さらに底板１１にはＡ５単行本２４が配列され、その前面を棚部材の背面で押えた状態を示している。
【００３４】
次に図６は本発明の第４実施形態を示す。図６（ａ）において、支持溝６は第１実施形態と同じく、上下二段に形成されているほか、その水平溝部６ａには前記と同様の垂直溝部６ｂが一体に連通しているとともに、水平溝部６ａは側板４の前部側まで延長し、この先端に第２の垂直溝部６ｃを立ち上げ、さらに中間位置にも第３の垂直溝部６ｄを立ち上げている。
従って、本実施形態では、第３実施形態に比べて、さらに本棚１０の奥行方向の突出量の微調整が可能となる。
【００３５】
この棚部材１の配置例としては、図６（ｂ）の上部から順に示すように、本棚１０の前面に突出させることなく、奥行方向に並列に配置したり、本棚１０の前面より僅かに突出した状態に配置したり、奥部及び先端に突出して配置したり、階段状に並べることができる。なお、図例では、Ｂ５週刊誌２０の配列位置前方を棚部材１で押えることやＡ６文庫本を最下段奥部に収納している。
【００３６】
なお、以上の各実施形態では、本発明をオープン式の本棚に適用した場合を示したが、飾棚、整理棚などの棚家具一般に適用できる。また、棚部材１は、当初からセット部品として付属させることもできるし、後からオプション部品として間口寸法を指定して取付けることも可能であることも勿論である。
【図面の簡単な説明】
【００３７】
【図１】（ａ），（ｂ）は本発明の第１実施形態による棚部材の斜視図である。
【図２】（ａ）〜（ｄ）は同棚部材を本棚に取付けるまでの過程を示す説明用斜視図である。
【図３】同取付状態の側断面説明図である。
【図４】（ａ）は第２実施形態による棚部材の斜視図、（ｂ）は同棚部材を本棚に取付けた状態を示す断面説明図である。
【図５】（ａ）は第３実施形態による棚部材の斜視図、（ｂ）は同棚部材を本棚に取付けた状態を示す断面説明図である。
【図６】（ａ）は第４実施形態による棚部材の斜視図、（ｂ）は同棚部材を本棚に取付けた状態を示す断面説明図である。
【符号の説明】
【００３８】
１  棚部材
２  底板
４  側板
５  背面板
６  支持溝
６ａ  水平溝部
６ｂ，６ｃ，６ｄ  垂直溝部
７  だぼ
１０  本棚
１１  底板
１２  天板
１３  側板
１４  背面板
１５  固定棚
１６  だぼ穴
１７  可動棚
【図１】
2007325815.tif 000003
【図２】
2007325815.tif 000004
【図３】
2007325815.tif 000005
【図４】
2007325815.tif 000006
【図５】
2007325815.tif 000007
【図６】
2007325815.tif 000008